(57)【要約】【課題】  眼鏡フレームの姿勢を変化させることなく、視線の変更に応じてレンズのみを回動させることができる眼鏡フレームを提供する。【解決手段】  利用者の視線の変更に応じてレンズの角度を調整可能にした眼鏡フレームにおいて、レンズを保持する保持枠１９と、この保持枠１９と智１２とを回動自在に取り付ける回動手段２０と、左右の前記智１２を連結する連結部材１７とを有し、鼻パッド１８を前記連結部材１７に取り付け、回動手段２０による回動中心をレンズ１５の中心線Ｃの近傍に設けた構成とした。【選択図】  図２
2010286654.tif 000002
【特許請求の範囲】
【請求項１】
利用者の視線変更に応じてレンズの角度を調整可能にした眼鏡フレームにおいて、
レンズを保持する保持部材と、
左右の前記智を連結する連結部材と、
前記保持部材を智に回動自在に取り付ける回動手段と、
を有し、鼻パッドを前記連結部材に取り付け、前記回動手段による回動中心をレンズの中心線の近傍に設けたこと、
を特徴とする眼鏡フレーム。
【請求項２】
利用者の視線変更に応じてレンズの角度を調整可能にした眼鏡フレームにおいて、
レンズを保持する保持部材と、
この保持枠部材と智とを回動自在に取り付ける回動手段と、
を有し、前記回動手段は、前記保持部材とともに回転する第一の歯車と、前記智に支持された第二の歯車とを有し、前記第一の歯車と前記第二の歯車とを噛合させたこと、
を特徴とする眼鏡フレーム。
【請求項３】
利用者の視線変更に応じてレンズの角度を調整可能にした眼鏡フレームにおいて、
レンズを保持する保持部材と、
この保持部材と智とを回動自在に取り付ける回動手段と、
を有し、前記回動手段は、前記保持部材とともに回転する第一の軸と、前記智に支持された第二の軸と、前記第一の軸に対して前記第一の軸を回転自在に連結するリンク部材とを有すること、
を特徴とする眼鏡フレーム。
【請求項４】
左右の前記智を連結する連結部材を設け、この連結部材に鼻パッドを取り付けたことを特徴とする請求項２又は３に記載の眼鏡フレーム。
【請求項５】
請求項１〜４のいずれかに記載の眼鏡フレームにおいて、レンズの中心線の近傍に、前記回動機構による回動中心を位置させたことを特徴とする眼鏡フレーム。
【発明の詳細な説明】
【技術分野】
【０００１】
本発明は、利用者の視線の変更に応じてレンズの角度を変更できる眼鏡フレームに関する。
【背景技術】
【０００２】
累進屈折カレンズ等の多焦点レンズは、一枚のレンズの中に、遠方視、中間視、近方視用の焦点を持つものである。通常、多焦点レンズは、レンズの中央部分を基準に処方されるため、近方視部位（通常レンズ下部）においては、レンズを斜めにして対象物を見ることになる。従って、近方視部位を長時間にわたって使用した場合、極度に目を疲れさせる一因になっていた。また、従来の眼鏡フレームに累進屈折カレンズを取り付けて使用する場合は、近方視部位において、視界確保のため、ある程度の面積が必要であった。そのため、レンズの大きさ（天地幅）に制限があり、近年主流の小さな玉型の眼鏡に使用するには不適切であった。
そこで、近方祝部位（通常レンズ下部）使用時においても、対象物にまっすぐ向き合える快適な視界を確保できるように、使用者の視線移動に応じて、フレーム本体の角度調整ができる眼鏡フレームが種々提案されている。
【先行技術文献】
【特許文献】
【０００３】
【特許文献１】実開昭６１−７６４１６号公報
【特許文献２】特開２０００−１２２００９号公報
【発明の開示】
【発明が解決しようとする課題】
【０００４】
ところで、眼鏡フレームの装着姿勢は、鼻パッドが利用者の鼻に接触する位置とテンプルが利用者の耳に引っ掛かる位置とによって決定される。上記文献に記載の眼鏡フレームは、レンズの回動動作とともに鼻パッドもその位置を変えてしまうため、眼鏡フレームの姿勢が変化して装着感が悪くなるばかりでなく、レンズに対する視線の位置も大きくずれて、対象物が却って見えにくくなるという問題がある。
また、下向きの視線に応じてレンズを回動させたときに、レンズ下端が眼鏡フレームの内側に大きく移動するため、利用者自身の顔面が邪魔になってそれほど大きな回動範囲を確保できないという問題がある。
【０００５】
本発明は、上記の問題に鑑みてなされたもので、眼鏡フレームの姿勢を変化させることなく、視線の変更に応じてレンズのみを回動させることができ、かつ、回動後もレンズの中心を通して対象物を見ることのできる眼鏡フレームの提供を第一の目的とする。また、広い回動範囲を確保できる眼鏡フレームの提供を第二の目的とする。
【課題を解決するための手段】
【０００６】
本発明の第一の目的を達成するために、請求項１に記載の発明は、利用者の視線変更に応じてレンズの角度を調整可能にした眼鏡フレームにおいて、レンズを保持する保持部材と、左右の前記智を連結する連結部材と、前記保持部材を智に回動自在に取り付ける回動手段とを有し、鼻パッドを前記連結部材に取り付け、前記回動手段による回動中心をレンズの中心線の近傍に設けた構成としてある。
なお、前記保持部材は回動手段によって智に直接取り付けられてもよいし、連結部材を介して智に取り付けられてもよい。
この構成によれば、連結部材と保持部材とが別体に構成され、固定された連結部材に鼻パッドを取り付けているので、保持部材とともにレンズを回動させても鼻パッドは移動せず、眼鏡フレームの姿勢が変わることがない。
【０００７】
本発明の第二の目的を達成するために、請求項２に記載の発明は、利用者の視線変更に応じてレンズの角度を調整可能にした眼鏡フレームにおいて、レンズを保持する保持部材と、この保持部材と智とを回動自在に取り付ける回動手段とを有し、前記回動手段は、保持部材とともに回転する第一の歯車と、前記智に支持された第二の歯車とを有し、前記第一の歯車と前記第二の歯車とを噛合させた構成としてある。
この場合、前記保持部材を通常使用状態から回動させたときに、前記レンズの回動中心を眼鏡フレームの外側に押し出すように、前記第一の歯車と前記第二の歯車とを噛合させるとよく、例えば、通常使用状態において、前記第一の歯車の上方に前記第二の歯車が位置するように配置するとよい。
【０００８】
本発明の第二の目的を達成する他の発明は、請求項３に記載するように、利用者の視線変更に応じてレンズの角度を調整可能にした眼鏡フレームにおいて、レンズを保持する保持部材と、この保持部材と智とを回動自在に取り付ける回動手段とを有し、前記回動手段は、前記保持部材とともに回転する第一の軸と、前記智に支持された第二の軸と、前記第一の軸に対して前記第一の軸を回転自在に連結するリンク部材とを有する構成としてある。
【０００９】
この場合、前記保持部材を通常使用状態から回動させたときに、前記レンズの回動中心を眼鏡フレームの外側に押し出すように、前記リンク部材で第一の軸と前記第二の軸とを連結させるとよく、例えば、通常使用状態において、前記第一の軸の上方に前記第二の軸が位置するように配置するとよい。
請求項２及び請求項３のように構成することで、例えば下向きへの視線の変更に応じてレンズを保持部材とともに回動させると、レンズ及び保持部材が外側に移動しながら、つまり利用者の顔面から遠ざかる方向に移動しつつ回動するので、広い回動範囲を確保することができる。
【００１０】
なお、請求項２又は請求項３に記載の発明においては、請求項４に記載するように、左右の前記智を連結する連結部材を設け、この連結部材に鼻パッドを取り付けることで、第一の目的を同時に達成することが可能になる。
なお、前記保持部材は回動手段によって智に直接取り付けられてもよいし、連結部材を介して智に取り付けられてもよい。
また、請求項５に記載するように、請求項１〜４のいずれかに記載の眼鏡フレームにおいて、レンズの中心線の近傍に、前記回動機構による回動中心を位置させるとよい。
【発明の効果】
【００１１】
本発明によれば、眼鏡フレームの本体の姿勢を変化させることなく、視線の変更に応じてレンズのみ回動させることができる。また、レンズの回動と同時にレンズの姿勢を変化させて、常に視線がレンズの中心を通るようにし、かつ、広い回動角度の範囲を確保できる。
【発明を実施するための最良の形態】
【００１２】
以下、本発明の好適な実施形態を、図面を参照しながら詳細に説明する。
図１は、本発明の眼鏡フレームの一実施形態にかかり、その全体構成を説明する斜視図である。
眼鏡フレーム１は、レンズ１５，１５の下半分を嵌め込んで保持する保持枠１９と、保持枠１９の両端に設けられた智１２，１２と、この智１２，１２にヒンジ１３，１３を介して保持枠１９に対して折り畳み自在に取り付けられたテンプル１１，１１と、左右の智１２，１２を連結する連結部材１７と、この連結部材１７のレンズ１５，１５の間に設けられたブリッジ部１７ａに取り付けられた左右の鼻パッド１８，１８とを有している。なお、以下の説明では、左右の智１２，１２、左右のヒンジ１５，１５、左右のテンプル１１，１１及び連結部材１７でフレーム本体１０を構成するものとする。
【００１３】
レンズ１５，１５をフレーム本体１０に対して回動自在にする回動機構２０は、智１２と保持枠１９との間に設けられている。
この実施形態の回動機構２０の詳細を、図２に示す。図２（ａ）は、回動機構の詳細を説明する部分拡大斜視図、図２（ｂ）は中心線Ｃの位置を説明するレンズの断面図、図２（ｃ）（ｄ）はレンズを所定の回動角度位置でロックするロック機構の例を示す断面図である。なお、図２においては、左右二つある回動機構２０のうちの一方（左側）のみについて図示するが、他方の回動機構２０の構成も同様であるので、図示及び詳しい説明は省略する。
【００１４】
保持枠１９と連結部材１７とは別体に構成され、左右の智１２，１２と連結部
材１７とは、蝋付け等又は一体成形により連結されている。
図２（ａ）に示すように、保持枠１９の智１２側の一端には凹部２１が形成され、この凹部２１に嵌め込まれる凸部２２が連結部材１７の一端に形成されている。凸部２２は、智１２の一部を構成するものであってもよい。
凸部２２と凹部２１とを回動自在に連結する手段としては、種々のものを採用することができる。
例えば、図示するように、凹部２１及び凸部２２を貫通して螺旋孔を形成し、この螺旋孔にボルト状に形成された軸２３を螺入する。凹部２１の溝幅と、凹部２１に挿入される凸部２２の幅とをほぼ同一に形成し、軸２３の締め付け力を調整することで、レンズ１５を任意の回動角度位置で停止させることができる。
軸２３は、レンズ１５の中心を通る線（中心線（図２（ｂ）に示すように、レンズ１５の上下方向及び厚み方向の中心を通る線）Ｃ上又はその近傍位置（通常の眼鏡においては、中心線Ｃの上下にそれぞれ５ｍｍ以内、中心線Ｃの前後にそれぞれ１〜２ｍｍ以内）に配置するのが好ましい。このようにすることで、レンズ１５を回動させたときの上下方向の位置変動を小さく抑制することができ、そのため、回動後において眼鏡フレーム１の姿勢を調整する必要がなくなる。
【００１５】
他の例としては、例えば、凸部２２に貫通孔を形成して樹脂スリーブを嵌め込み、金属芯に樹脂をコーティングした軸を、凹部２１を挿通させて前記貫通孔に締まり嵌め状態で嵌め込み、凸部２２と凹部２１とを連結させるとともに樹脂どうしの摩擦によってレンズ１５を任意の回動角度位置で停止させるようにしたものを挙げることができる。
図２（ｃ）に示すように、凹部２１の溝の底部にばねで付勢された係合ピン２５を設け、この係合ピン２５と係合する係合溝２２ａを凸部２２に形成することで、保持枠１０及びレンズ１５を通常の使用位置と所定の回動角度位置とでロックすることができる。また、図２（ｃ）の係合溝２２ａに代えて、図２（ｄ）に示すような係合突起２２ｂを凸部２２に形成し、係合突起２２ｂがばねの付勢力に抗して係合ピン２５を乗り越えることで、レンズ１５が所定の角度範囲内で回動するようにしてもよい。
【００１６】
また、軸２３には緩み止めや抜け止めを施すのが好ましい。前記緩み止めや抜け止め手段としては、スプリングワッシャや波ワッシャ等の座金、接着剤、螺旋孔とボルトのピッチを変えたものなど、公知の種々のものを採用することができる。
これにより、レンズ１５及び保持枠１９を、智１２及び連結部材１７に対して回動自在にすることができる。
【００１７】
図３は、連結部材１７とレンズ１５との関係を示す部分拡大断面図である。
図３（ａ）に示すように、連結部材１７は、レンズ１５の回動を妨げないようにレンズ１５から分離されている必要がある。レンズ１５の下半分は保持枠１９によって保持されるが、この実施形態では、レンズ１５の上半分はナイロール１６によって保持される。ナイロール１６の両端は保持枠１９に連結する。
図３（ｂ）に示すように、連結部材１７の内側（利用者の眼側）の外周縁に突起１７ｂを形成して、この突起１７にレンズ１５が当接するようにし、レンズ１５が所定位置を超えて内側に回動しないように規制してもよい。
また、図３（ｃ）に示すように、連結部材１７の外側の外周縁に突起１７ｃを形成して、レンズ１５が所定位置を越えて外側に回動しないように規制してもよい。なお、図３（ｃ）のような突起１７ｃを形成すれば、前記したようにレンズ１５の回動を規制することができるだけでなく、レンズ１５と連結部材１７との間の隙間を外側から見えないようにして、連結部材１７と保持枠１９とで見掛け上のフルリムフレームを構成させることも可能である。
また、図３（ｄ）に示すように、ナイロール１６に代えて、レンズ１５の全体を保持枠１９′に嵌め込んで保持させるようにしてもよい。
【００１８】
図４は、上記構成の眼鏡フレーム１の作用を説明する図である。
図４（ａ）は通常の使用状態を、図４（ｂ）は視線を下方に向けたときの状態を示す。
通常の使用状態（（ａ）の状態）から視線を下方に向けるときには、保持枠１９とともにレンズ１５を回動させる。レンズ１５を回動させても鼻パッド１８（図１参照）は動かないので、フレーム本体１０の装着姿勢に変化はない。また、レンズ１５の回動中心は、前記したようにレンズ中心Ｃの近傍に配置されているので、レンズ１５を回動させても、その上下方向の位置変位を小さくすることができる。そのため、（ｂ）に示すように、視線を下方に向けても、レンズ１５の中心を通して対象物を見ることができる。
【００１９】
図５（ａ）（ｂ）は本発明の眼鏡フレームの第二の実施形態にかかり、回動機構の概要を説明する主要部の拡大側面図である。
保持枠１９の一端には歯車３２を回転自在に取り付ける。一方、連結部材１７の一端には、歯車３３を回転しないように固定して取り付ける。この実施形態では、歯車３３はレンズ１５の中心線Ｃ上に配置されている。そして、二つの歯車３２，３３を噛合させ、かつ、二つの歯車３２，３３が分離しないようにする。歯車３２，３３は、金属や樹脂で形成することができるが、固定側の歯車３３をチタン等の金属で形成し、可動側の歯車３２をポリアセタール等の樹脂で形成するとよい。
二つの歯車３２，３３が分離しないようにするための手段は、例えば、図５（ａ）に示すように、二つの歯車３２，３３の軸部分をリンク部材３５で互いに連結したり、図５（ｂ）に示すように、歯車３３を連結部材１７に固定する軸３３ａを、保持枠１９の一端に形成したステー３１の貫通孔に通し、この貫通孔から突出した軸３３ａの先端に、Ｃリング等の抜け止め部材を嵌着させたりするものを挙げることができる。
【００２０】
図６は、図５の実施形態の回動機構の作用を説明する図である。この構成の回動機構では、図示するように、固定された連結部材１７の歯車３３上を、回転自在な保持枠１９側の歯車３２が転動しながら移動する。そして、例えば、歯車３２の直径を歯車３３の直径の五倍とすることで、歯車３３が歯車３２の真上位置から真横位置まで９０°移動する間に、歯車３３及び保持枠１９は１８°回転する。
【００２１】
また、固定された歯車３２上を歯車３３が上方位置から下方位置に転動する際には、レンズ１５の中心が、最大で歯車３２の直径の１／２分だけ外側に移動するので、この分だけ、保持枠１９の回動による保持枠１９の下端位置の顔面側への移動量を小さくすることができる。そのため、利用者の顔面Ｆと保持枠１９の下端との間の隙間Ｓを、先の実施形態の回動機構や従来の眼鏡フレームの回動機構よりも小さくすることができ、保持枠１９の回動角度を今までよりも大きくすることが可能になる。
なお、レンズ１５は最大で歯車３２の直径の１／２分だけ上下に移動するが、歯車３３の回転軸の中心をレンズ中心線Ｃよりも若干下方に位置させることで、視線を下方に向けたときにも、レンズ１５の中心近傍を通して対象物を見ることが可能になる。
【００２２】
また、図７は本発明の眼鏡フレームの第三の実施形態にかかり、回動機構の概要を説明する主要部の拡大側面図である。
保持枠１９の一端には軸４２を取り付け、連結部材１７の一端には、軸４３を取り付ける。そして、二つの軸４２，４３をリンク部材４５で連結する。この実施形態では、軸４３はレンズ１５の中心線Ｃ上に配置されている。
この回動機構の作用も図５及び図６の回動機構と同様である。
【００２３】
本発明の好適な実施形態について説明したが、本発明の接続構造は上記のものに限られない。
例えば、本発明は、ナイロールでレンズ１５，１５を保持するようしたリムレスタイプの眼鏡フレームや、リム（枠）もナイロールも使わない所謂ツーポイントタイプの眼鏡フレームにも適用が可能である。これら場合は、図１の眼鏡フレームから左右の凹部２１及び中央のブリッジ部１９ａを残して保持枠１９を除去し、凹部２１とブリッジ部１９ａとの間にナイロールを張り渡したり、凹部２１とブリッジ部１９ａとでレンズを保持させるようにする。なお、前記リムレスタイプでは、ナイロールが保持部材を構成し、前記ツーポイントタイプでは凹部２１とブリッジ部１９ａとが保持部材を構成する。
また、上記の説明では、保持枠１９をレンズ１５の下方に配置し、連結部材１７をレンズ１５の上方に配置しているが、保持枠１９と連結部材１７とはその上下を逆にしてもよい。
さらに、上記の説明で回動機構２０は、左右の智１２の部分に設けているが、連結部材１７のブリッジ部１９ａに設けてもよい。
また、図５及び図６の例では、一方の歯車３３及び軸４３がレンズ１５の中心線Ｃ上に配置されているとして説明したが、中心線Ｃに対する歯車３２，３３又は軸４２，４３の配置位置はこれに限られない。例えば、回動時におけるレンズ１５の上下方向の移動量を小さくするには、中心線Ｃの位置を歯車３２の中心と歯車３３の中心との中間又は軸４２と軸４３との中間に近づければよい。
【図面の簡単な説明】
【００２４】
【図１】本発明の眼鏡フレームの一実施形態にかかり、その全体構成を説明する斜視図である。
【図２】この実施形態の回動機構の各部の詳細を説明する部分拡大図である。
【図３】連結部材１７とレンズ１５との関係を示す例に係り、その部分拡大断面図である。
【図４】実施形態の眼鏡フレーム１の作用を説明する図で、図４（ａ）は通常の使用状態を、図４（ｂ）は視線を下方に向けたときの状態を示す。
【図５】本発明の眼鏡フレームの第二の実施形態にかかり、回動機構の概要を説明する主要部の拡大側面図である。
【図６】この実施形態の回動機構の作用を説明する図である。
【図７】本発明の眼鏡フレームの第二の実施形態にかかり、回動機構の概要を説明する主要部の拡大側面図である。
【符号の説明】
【００２５】
１        眼鏡
１０      フレーム本体
１１      テンプル
１２      智
１３      ヒンジ
１５      レンズ
１６      ナイロール
１７      連結部材
１７ａ    ブリッジ部
１８      鼻パッド  
１９      保持枠
１９ａ    ブリッジ部  
２０      回動機構
２１      凹部
２２      凸部
２２ａ    係合溝
２３      軸
２５      係合ピン
３１      ステー
３２，３３  歯車
３５      リンク部材
４２，４３  軸
４５        リンク部材
【図１】
2010286654.tif 000003
【図２】
2010286654.tif 000004
【図３】
2010286654.tif 000005
【図４】
2010286654.tif 000006
【図５】
2010286654.tif 000007
【図６】
2010286654.tif 000008
【図７】
2010286654.tif 000009